【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
１つ以上のプロセッサが、海底地形データを受信するステップと、
前記１つ以上のプロセッサが、複数の既存の水中ケーブルのルートについての既存ルートデータを受信するステップと、
前記海底地形データおよび前記既存ルートデータに基づいて、前記１つ以上のプロセッサが、水中ケーブルのルートを決定するためのモデルを作成するステップとを含み、前記モデルは、前記海底地形データおよび既存のルートデータを訓練用の入力として利用することによって生成される、方法。
【請求項２】
受信した前記海底地形データに基づいて、前記１つ以上のプロセッサが、前記複数の既存の水中ケーブルのルートに沿ってケーブルを敷設するための速度データ、前記複数の既存の水中ケーブルのルートに沿ったケーブル種類データ、または、水中ケーブルのルートを敷設するための所定のルールの中の少なくとも１つ含む追加データを生成するステップをさらに含み、前記モデルは、前記追加データにさらに基づいて作成される、請求項１に記載の方法。
【請求項３】
前記追加データは、所定のルールを含み、前記所定のルールは、パイプラインを横断する際のルール、水中の多くの山を含んだ領域でケーブルのたるみを処理する際のルール、および、水深に基づくケーブルの種類のルールのうち、少なくとも１つを含む、請求項２に記載の方法。
【請求項４】
前記複数の既存の水中ケーブルのルートに沿った船舶通航量に基づいて、前記１つ以上のプロセッサが、前記複数の既存の水中ケーブルのルートについての機能停止データを生成するステップをさらに含み、前記モデルを作成するステップは、前記機能停止データにさらに基づく、請求項１〜請求項３のいずれか１項に記載の方法。
【請求項５】
前記１つ以上のプロセッサが、前記複数の既存の水中ケーブルのルートに沿った船舶の位置を、時間の経過とともに追跡するステップと、
前記船舶の位置に基づいて、前記１つ以上のプロセッサが、前記複数の既存の水中ケーブルのルートに沿った１つ以上の特定の場所に１つ以上の船舶が所定の期間留まっていると判断するステップと、
前記１つ以上の特定の場所に前記１つ以上の船舶が前記所定の期間留まっていることに基づいて、前記１つ以上のプロセッサが、前記１つ以上の特定の場所において機能停止が起こったと判断するステップとをさらに含む、請求項４に記載の方法。
【請求項６】
前記１つ以上のプロセッサが、前記複数の既存の水中ケーブルのルートについてのコスト情報を受信するステップをさらに含み、前記モデルは、前記コスト情報にさらに基づいて作成される、請求項１〜請求項５のいずれか１項に記載の方法。
【請求項７】
前記コスト情報は、ケーブルコスト、船舶コスト、および、領土コストのうち、少なくとも１つを含む、請求項６に記載の方法。
【請求項８】
前記１つ以上のプロセッサが、地表を表すグリッドを生成するステップと、
前記１つ以上のプロセッサが、受信した前記海底地形データの各々および受信した既存のルートのデータを前記グリッド上にマッピングするステップと、をさらに含む、請求項１〜請求項７のいずれか１項に記載の方法。
【請求項９】
前記１つ以上のプロセッサが、第１の位置と第２の位置とを繋ぐ水中ケーブルのルートを求める要求を受け付けるステップと、
前記第１の位置、前記第２の位置、および前記海底地形データに基づいて、前記１つ以上のプロセッサが、前記モデルを用いて１つ以上の水中ケーブルのルート候補を生成するステップとをさらに含む、請求項１〜請求項８のいずれか１項に記載の方法。
【請求項１０】
前記１つ以上のプロセッサが、地表を表すグリッドを生成するステップと、
受信した前記海底地形データに基づいて、前記１つ以上のプロセッサが、１つ以上の所定の効率値を前記グリッド上の各ポイントに割り当てるステップとをさらに含み、
前記モデルは、総合効率性スコアを最小にすることによって前記１つ以上の水中ケーブルのルート候補を生成するようにさらに構成される、請求項９に記載の方法。
【請求項１１】
前記１つ以上のプロセッサが、前記モデルを用いて、前記第１の位置と前記第２の位置とを繋ぐ複数の経路候補の距離を決定するステップをさらに含み、前記１つ以上の水中ケーブルのルート候補を生成するステップは、前記距離にさらに基づく、請求項９に記載の方法。
【請求項１２】
前記１つ以上のプロセッサが、地表を表すグリッドを生成するステップと、
前記１つ以上のプロセッサが、前記１つ以上の水中ケーブルのルート候補を、前記グリッド上に表示するために提供するステップとをさらに含む、請求項９に記載の方法。
【請求項１３】
前記１つ以上のプロセッサが、前記モデルを用いて、前記１つ以上の水中ケーブルのルート候補の各々についての距離を決定するステップと、
前記１つ以上のプロセッサが、前記１つ以上の水中ケーブルのルート候補の各々についての距離を、表示用に提供するステップとをさらに含む、請求項９に記載の方法。
【請求項１４】
前記１つ以上のプロセッサが、前記モデルを用いて、前記１つ以上の水中ケーブルのルート候補のコストを予想するステップと、
前記１つ以上のプロセッサが、予想された前記１つ以上の水中ケーブルのルート候補のコストを、表示用に提供するステップとをさらに含む、請求項９に記載の方法。
【請求項１５】
前記１つ以上の水中ケーブルのルート候補は、複数の水中ケーブルのルートであり、前記方法は、さらに、
前記１つ以上のプロセッサが、前記１つ以上の水中ケーブルのルート候補から選択された選択水中ケーブルルートを表すユーザ入力を受信するステップと、
前記１つ以上のプロセッサが、前記選択水中ケーブルルートから１以上の特徴を抽出するステップと、
前記１つ以上のプロセッサが、前記選択水中ケーブルルートから抽出された前記１以上の特徴を追加の訓練用の入力として利用して、前記モデルを更新するステップとをさらに含む、請求項９に記載の方法。
【請求項１６】
前記モデルは、回帰モデル、ニューラルネットワークモデル、ランダムフォレストモデル、または、決定木モデルの中の１つである、請求項１に記載の方法。
【請求項１７】
システムであって、
１つ以上のプロセッサを備え、前記１つ以上のプロセッサは、
海底地形データを受信し、
複数の既存の水中ケーブルのルートについての既存ルートデータを受信し、
水中ケーブルのルート候補を決定するためのモデルを作成し、
前記海底地形データおよび既存ルートデータを訓練用の入力として利用して、前記モデルを訓練し、
第１の位置と第２の位置とを繋ぐ水中ケーブルのルートを求める要求を受け付け、
前記第１の位置、前記第２の位置、および受信した前記海底地形データに基づいて、訓練された前記モデルを用いて１つ以上の水中ケーブルのルート候補を生成するように構成される、システム。
【請求項１８】
地表を表すグリッド上に前記１つ以上の水中ケーブルのルート候補を出力するように構成されるディスプレイをさらに備える、請求項１７に記載のシステム。
【請求項１９】
前記１つ以上の水中ケーブルのルート候補は、複数の水中ケーブルのルートであり、前記１つ以上のプロセッサは、
前記１つ以上の水中ケーブルのルート候補から選択された選択水中ケーブルルートを表すユーザ入力を受信し、
前記選択水中ケーブルルートから１以上の特徴を抽出し、
前記選択水中ケーブルルートから抽出された１以上の特徴を第２の訓練用の入力として使用して、前記モデルを更新するように構成される、請求項１７に記載のシステム。
【請求項２０】
１つ以上のプロセッサが、海底地形データを受信するステップと、
前記１つ以上のプロセッサが、複数の既存の水中ケーブルのルートについての既存ルートデータを受信するステップと、
前記１つ以上のプロセッサが、水中ケーブルのルート候補を決定するためのモデルを作成するステップと、
前記１つ以上のプロセッサが、前記海底地形データおよび既存ルートデータを訓練用の入力として利用して、前記モデルを訓練するステップと、
前記１つ以上のプロセッサが、第１の位置と第２の位置とを繋ぐ水中ケーブルのルートを求める要求を受け付けるステップと、
前記１つ以上のプロセッサが、記第１の位置、前記第２の位置、および受信した前記海底地形データに基づいて、前記モデルを用いて１つ以上の水中ケーブルのルート候補を生成するステップとを含む、方法。
【請求項２１】
１つ以上のプロセッサによって実行されることにより、前記１つ以上のプロセッサに、請求項１〜請求項１６および請求項２０のいずれか１項に記載の方法を実行させる、プログラム。